(57)【要約】【課題】テレビチューナを内蔵させた携帯電話端末でテレビを視聴中に、他局で放映されている番組内容を簡単に確認できるようにする。【解決手段】複数の放送局のテレビジョン放送信号を受信するチューナを備えさせ、チューナで受信する１つ又は複数の放送局の指定が行われた場合に、チューナで受信中の放送局の音声を復調処理し、チューナで複数の放送局のテレビジョン放送信号を同時受信した場合に、復調された各放送局の音声をそれぞれ異なる位置に定位させる立体音響処理を行うようにした。【選択図】図３
2007306049.tif 000002
【特許請求の範囲】
【請求項１】
複数の放送局のテレビジョン放送信号を受信するチューナと、
前記チューナで受信中の放送局の音声を復調処理する音声復調部と、
前記チューナで複数のテレビジョン放送信号を同時受信した場合に、前記音声復調部で復調された各放送局の音声をそれぞれ異なる位置に定位させる立体音響処理を行う音声処理部とを備えることを特徴とする
テレビジョン放送受信装置。
【請求項２】
請求項１記載のテレビジョン放送受信装置において、
前記音声処理部で得られた音声信号を放音させて、前記立体音響を再現する複数のスピーカを備えることを特徴とする
テレビジョン放送受信装置。
【請求項３】
請求項１記載のテレビジョン放送受信装置において、
前記操作部の操作に基づいて、前記チューナで１つ又は複数の放送局の指定を行う操作部を備え、特定の放送局のテレビジョン放送信号を受信する状態から、複数の放送局のテレビジョン放送信号を受信する状態に変化した場合に、前記音声処理部での立体音響処理として、前記特定の放送局の受信音声を中央に定位させ、他の放送局の受信音声を中央以外の位置に定位させることを特徴とする
テレビジョン放送受信装置。
【請求項４】
請求項１記載のテレビジョン放送受信装置において、
前記チューナで、特定の放送局のテレビジョン放送信号とその特定の放送局の１つ前又は１つ後の選局位置の放送局のテレビジョン放送信号を受信し、
前記音声処理部での立体音響処理として、前記特定の放送局の受信音声を中央に定位させ、前記１つ前又は１つ後の選局位置の放送局の受信音声を、右又は左に定位させることを特徴とする
テレビジョン放送受信装置。
【発明の詳細な説明】
【技術分野】
【０００１】
本発明は、例えばテレビジョン放送受信機能を内蔵した携帯電話端末に適用して好適なテレビジョン放送受信装置に関し、特に３次元音声を出力可能なテレビジョン放送受信装置に関する。
【背景技術】
【０００２】
近年、テレビジョン放送受信用のチューナを内蔵させた携帯電話端末が製品化されている。テレビチューナが搭載された携帯電話端末を用いれば、外出先などでもテレビの視聴が可能となるため便利であり、ユーザの関心を集めている。ところが、テレビ視聴中に他局の番組の放送内容を知りたい場合は、選局ボタンの操作などで視聴中の番組を一時中断して選局しなおす必要があり手間な上に、他局番組の指定から実際に選局されるまでの時間もかかってしまう。
【０００３】
特許文献１には、受信可能な複数のチャンネルの映像を時分割して受信し、携帯電話端末の画面にサムネイル表示させて、ユーザに選局させるようにしたことについての開示がある。
【特許文献１】特開２００５−１５０８３１号公報
【発明の開示】
【発明が解決しようとする課題】
【０００４】
特に、特許文献１に記載されたようなサムネイル表示を利用した選局方法では、依然操作する上で手間がかかり、選局されるまでの時間もかかるという問題がある。
【０００５】
本発明はかかる点に鑑みてなされたものであり、テレビジョン放送を視聴中に、他局で放映されている番組内容を簡単に確認できるようにすること及び、ユーザが選挙区を行う際にかかる待ち時間を低減することを目的とする。
【課題を解決するための手段】
【０００６】
本発明は、少なくとも音声データに関しては、複数の放送局の同時受信が可能なテレビジョン放送を受信するチューナを備えさせ、チューナで受信する１つ又は複数の放送局の指定が行われた場合に、チューナで受信中の放送局の音声を復調処理し、チューナで複数の放送局を同時受信した場合に、復調された各放送局の音声をそれぞれ異なる位置に定位させる立体音響処理を行うようにしたものである。
【０００７】
このようにしたことで、現在視聴中の放送局の音声と、視聴したい他の放送局の音声とを、視聴者が区別可能に同時に出力することができる。
【発明の効果】
【０００８】
本発明によると、現在視聴中の放送局の音声と、視聴したい他の放送局の音声を同時に出力することができるため、ユーザは特定の放送局で放送されている番組を視聴中に、他局で放送されている番組の内容を音声で確認することができるようになる。
【発明を実施するための最良の形態】
【０００９】
以下、本発明の一実施の形態を、添付図面を参照して説明する。本例においては、携帯電話端末として構成されたテレビジョン放送受信装置を利用した構成としてある。図１は、本例で使用される携帯電話端末の構成例を示した図である。本例の携帯電話端末１００は、無線電話用の基地局と無線通信を行うための無線電話通信用アンテナ１０１を備え、そのアンテナ１０１が無線電話通信用の通信部１０２に接続してあり、制御部１２０の制御で、基地局との間で無線通信を行うようにしてある。通信部１０２で通話用の通信を行う際には、受信した音声データを通話用音声処理部１０３で音声処理してスピーカ１０４に供給して出力させ、また、マイクロフォン１０８が拾った音声を通話用音声処理部１０３で音声データ化して通信部１０２に供給して送信させる。
【００１０】
また、この携帯電話端末１００は、操作キーなどで構成された操作部１０６と、液晶ディスプレイなどで構成された表示部１０７とを備える。操作部１０６と表示部１０７の構成例を、図２に示してある。操作部１０６は、電話番号やメール文などの入力操作や、各種モード設定などを行うことができ、視聴したい放送局のチャンネルの指定などを行うチャンネルキー１０６ａや、後述する音声の同時出力の指示する音声同時再生キー１０６ｂや、を備える。表示部１０７には、メール文、ウェブにアクセスさせた画面などを表示させることができるほか、受信したテレビジョン放送の映像を表示させることができる。なお、ここではチャンネルキー１０６ａ及び音声同時再生キー１０６ｂを物理的なボタンに割り当ててあるが、表示部１０７に表示させるメニューに組み込んだり、表示部１０７の下部に操作アイコンとして表示させ、いずれかのソフトキーを対応させて操作可能な構成としてもよい。
【００１１】
図１に戻って説明すると、これらの端末１００内の各ブロックは、制御ライン１５０を介して制御部１２０などと接続してあり、またデータライン１６０を介してデータ転送を行える構成としてあり、メモリ１０５に必要なデータを記憶させるようにしてある。メモリ１０５には、ユーザの好みの音楽再生設定やビデオエフェクト設定等の情報を保存させてもよい。さらに、メモリ１０５とは別に、大容量のデータ記憶手段であるハードディスクドライブ装置を備え、この携帯電話端末１００に入力されたデータやダウンロードされたデータなどを蓄積するようにしてもよい。
【００１２】
そして本例の携帯電話端末１００は、テレビジョン放送を受信して表示する機能も備える。このテレビジョン放送受信装置として機能させるために、テレビジョン放送受信用のチューナ２０１を備え、チューナ２０１にアンテナ２０６が接続されている。チューナ２０１が接続されている映像復調部２０２で、チューナ２０１で受信されたテレビジョン放送信号の映像データを復調するようにしてある。音声復調部２０３は、チューナ２０１が受信した放送信号のうち、音声データのみを復調するようにしてある。本例のチューナ２０１は、同時に複数のチャンネル（例えば３チャンネル）の受信が可能なチューナとしてある。音声復調部２０２での復調についても、同時に複数チャンネルの音声が復調できるようにしてある。
【００１３】
音声処理部２０４は、音声復調部２０３で復調された各音声に対して仮想音源を設定し、任意の座標点にそれぞれの仮想音源を定位させることで、複数種類の音声が３次元上の別々の方向から出力されるよう制御を行った上で、音声を２つのスピーカ２１１及び２１２から出力（放音）させる処理を行うようにしてある。２つのスピーカ２１１及び２１２は、例えば図２に示すように、端末１００を構成する筐体の左右に配置してあり、２つのスピーカ２１１及び２１２で立体音響（３次元音響）を再生させることができる。なお、本例においては、音声処理部２０４で処理された音声信号が出力されるステレオヘッドホン端子２１３を備え、端子２１３に接続されたヘッドホン（図示せず）から音声（立体音響）を出力させることもできる。
【００１４】
次に、図３のフローチャートを参照して、本例の携帯電話端末において特定のテレビジョン放送を視聴中に、他局の放送内容を確認する処理例について説明する。まず、ユーザによって操作部１０６でいずれかのキーが押下された場合（ステップＳ１１）、そのキーが音声同時再生キー１０６ｂであるか否かの判断が行われる（ステップＳ１２）。押下されたキーが音声同時再生キー１０６ｂ以外のキーであった場合は、本例の処理は行われず、入力されたキーに対応する他の処理が行われる。押下されたキーが音声同時再生キー１０６ｂだった場合は、制御部１２０による制御に基づき、チューナ２０１と音声復調部２０３と音声処理部２０４が同時再生用として起動され、音声同時再生モードへの切り替えが行われる（ステップＳ１３）。なお、本例では、音声同時再生キー１０６ｂを、携帯電話端末のいずれかのキーに割り当てた構成としてあるが、メニューに割り当て、メニュー表示などから選択させるようにしてもよい。
【００１５】
引き続き、現在視聴中の局以外の放送局のチャンネルが、チャンネルキー１０６ａの押下により選択されると（ステップＳ１４）、制御部１２０の制御に基づき、現在受信中のチャンネルと同時に受信するチャンネルがチューナ２０１で受信され、音声復調部２０３によって、ステップＳ１４で指定された他局のチャンネルで放送中の音声についてもデコードされ（ステップＳ１５）、それぞれのチャンネルの受信音声を音声処理部２０４で異なる位置に定位させる立体音声処理が行われ（ステップＳ１６）、その立体音響とされた音声として、現在視聴中の局の音声と他局の音声とがスピーカ又はヘッドホンから同時に出力される（ステップＳ１７）。なお、ここでは音声処理だけを説明したが、テレビジョン放送の受信映像については、最初に受信していたチャンネルの受信映像の表示だけを行う。或いは、２画面表示を行って、後から指定したチャンネルの受信映像についても同時に表示させてもよい。もしくは、番組タイトルなどのテキストデータを画面上に複数表示させるようにしてもよい。
【００１６】
図４は、本例の音声再生状態を模式的に示す図である。ここではユーザ１は、携帯電話端末１００を手前の正面に配置しているとする。このとき、左右のスピーカ２１１及び２１２からの音声出力で、立体音響が再生されているとする。図４に破線で示す円は、立体音響の定位位置が設定可能な位置を示すものである。図４の例では、図３のフローチャートのステップＳ１３で同時再生モードが開始される前に視聴していたチャンネルの放送局の受信音声は、正面の位置θ１に定位させる。そして、後から選局されたチャンネルの放送局の受信音声は、左前の位置θ２に定位させる。このようにしたことで、ユーザは、自分の正面に定位する現在視聴中の局の音声が聞きながら、左側から他局の放送内容を聞くことが可能となる。他局へチャンネルを変更したい場合は、他局のチャンネルを複数回押下もしくは長押しすればチャンネルが変更され、定位位置が入れ替わると共に、表示映像が入れ替わるようにしてある。
【００１７】
なお、現在視聴中の局の音声と、他局の音声の区別がつけやすいように、視聴中の局の音声に比べて他局の音声の出力を抑えるように設定してもよい。
【００１８】
図５は、音声再生状態の別の例を示したものである。この例では、同時音声再生モードを設定した場合に、現在視聴中のチャンネルの１つ前の選局ポジションのチャンネルと、１つ後の選局ポジションのチャンネルとを同時受信する例である。即ち、図５に示すように、現在視聴中のチャンネル（映像表示されているチャンネル）の受信音声を、正面の位置θ１１に定位させ、１つ前の選局ポジションのチャンネル受信音声を、左後ろの位置θ１２に定位させ、１つ後の選局ポジションのチャンネル受信音声を、右後ろの位置θ１３に定位させた例である。
【００１９】
この図５の例の音声再生を行って、選局のアップ操作又はダウン操作があると、同時に受信する３チャンネルの組み合わせを変化させて、各定位位置の出力音声についても変化させる。即ち、例えば図６に示すように、この携帯電話端末１００にプリセットされている受信チャンネルとして、チャンネルＡ，チャンネルＢ，チャンネルＣ，チャンネルＤ，チャンネルＥ・・・の順でプリセットされているとする。ここで、例えば現在視聴中のチャンネルがチャンネルＣであるとすると、チャンネルＣの受信音声を正面の位置θ１１に定位させ、１つ前のチャンネルＢの受信音声を左後ろの位置θ１２に定位させ、１つ後のチャンネルＤの受信音声を右後ろの位置θ１３に定位させる。この場合にも、視聴中の局の音声に比べて他局の音声の出力を抑えるように設定してもよい。
【００２０】
この状態で、操作部１０６として用意されたチャンネルアップキーの操作があると、チャンネルＣ，チャンネルＤ，チャンネルＥの受信に切り替わり、チャンネルＤの映像が表示されると共に、チャンネルＤの受信音声が正面の位置θ１１に定位され、１つ前のチャンネルＣの受信音声が左後ろの位置θ１２に定位され、１つ後のチャンネルＥの受信音声が右後ろの位置θ１３に定位されるように切り替わる。さらに、操作部１０６として用意されたチャンネルダウンキーの操作があると、チャンネルＡ，チャンネルＢ，チャンネルＣの受信に切り替わり、チャンネルＢの映像が表示されると共に、チャンネルＢの受信音声が正面の位置θ１１に定位され、１つ前のチャンネルＡの受信音声が左後ろの位置θ１２に定位され、１つ後のチャンネルＣの受信音声が右後ろの位置θ１３に定位されるように切り替わる。
【００２１】
また、その他の仮想音源配置としてもよい。この場合、３チャンネルを越えるチャンネルの同時受信が可能であれば、その３チャンネルを越えるチャンネル数の音声を、それぞれの異なる位置に定位させるようにしてもよい。
【００２２】
このように複数の局の音声を同時に出力させることで、特定の局の番組を視聴中に他局の放送内容を確認したい場合に、視聴中の番組の視聴を中断することなく、操作部でキーを押下するという簡単な操作により、他局の放送内容を音声で確認することができるようになる。
【００２３】
なお、上述した実施の形態では、テレビジョン放送を受信するチューナを備える携帯電話端末に適用した例としたが、本発明は、テレビジョン放送の受信が可能なその他の装置にも適用可能である。例えば、テレビ機能を搭載したパーソナル・コンピュータや、ＤＶＤ（Digital Versatile Disk）プレーヤー、情報通信端末などにも適用可能である。
【図面の簡単な説明】
【００２４】
【図１】本発明の一実施の形態による端末装置の構成例を示すブロック図である。
【図２】本発明の一実施の形態による端末装置の構成例を示す説明図である。
【図３】本発明の一実施の形態による他局の放送内容視聴処理例を示すフローチャートである。
【図４】本発明の一実施の形態による仮想音源の配置例を示す説明図である。
【図５】本発明の実施の形態の変形例による仮想音源の配置例を示す説明図である。
【図６】本発明の実施の形態の変形例によるチャンネルキーの構成例を示す説明図である。
【符号の説明】
【００２５】
１００…携帯電話端末、１０１…アンテナ、１０２…通信部、１０３…通話用音声処理部、１０４…スピーカ、１０５…メモリ、１０６…操作部、１０６ａ…チャンネルキー、１０６ｂ…音声同時再生キー、１０７…表示部、１０８…マイクロフォン、１５０…制御ライン、１６０…データライン、２０１…チューナ、２０２…映像復調部、２０３…音声復調部、２０４…音声処理部、２０６…アンテナ、２１１、２１２…スピーカ、２１３…ヘッドホン端子
【図１】
2007306049.tif 000003
【図２】
2007306049.tif 000004
【図３】
2007306049.tif 000005
【図４】
2007306049.tif 000006
【図５】
2007306049.tif 000007
【図６】
2007306049.tif 000008